(57)【要約】【課題】光による幻想的な映像空間を演出するリラクゼーションルームを低コスト施工できるようにした塩製タイルユニット及びこの塩製タイルユニットを備えたリラクゼーションルームを提供する。【解決手段】塩製タイルユニットは、塩製基材１と光源２とを備えている。塩製基材１は、多数本のグラスファイバーから生地状に形成された裏地１０上に、塩で形成された塩製タイル２０，２０，…が複数枚、目地間隙２４を設けて並列され、裏地１０と塩製タイル２０との間及び目地間隙２４内に熱硬化性樹脂３０が介在し、塩製タイル２０が熱硬化性樹脂３０によって裏地１０に固着され、塩製タイル２０を外向きに樋状又は筒状に成形されている。また、光源２は、塩製基材１の内側に配置されている。【選択図】図１
2010229745.tif 000002
【特許請求の範囲】
【請求項１】
多数本のグラスファイバーから生地状に形成された裏地上に、塩で形成された塩製タイルが複数枚、目地間隙を設けて並列され、裏地と塩製タイルとの間及び目地間隙内に熱硬化性樹脂が介在し、塩製タイルが熱硬化性樹脂によって裏地に固着され、塩製タイルを外向きにして樋状又は筒状に成形された塩製基材と、該塩製基材の内側に配置された光源とが備えられていることを特徴とする塩製タイルユニット。
【請求項２】
前記光源は、ＬＥＤであることを特徴とする請求項１に記載の塩製タイルユニット。
【請求項３】
側壁、床、天井で囲まれたリラクゼーションルームであって、
隣り合っている側壁と側壁との境界線に形成されるコーナー部、隣り合っている側壁と天井との境界線に形成されるコーナー部、隣り合っている側壁と床との境界線に形成されるコーナー部の全て又は一部のコーナー部に請求項１又は２に記載の塩製タイルユニットが付設されていることを特徴とするリラクゼーションルーム。
【請求項４】
前記側壁、床、天井の全て又は一部は、塩製タイルが敷き詰められることによって形成されていることを特徴とする請求項３に記載のリラクゼーションルーム。
【発明の詳細な説明】
【技術分野】
【０００１】
本発明は、塩で成形された塩製タイルを裏地上に固着し、さらに、樋形状などに成形した塩製基材と光源とを備えた塩製タイルユニット及びこの塩製タイルユニットを備えたリラクゼーションルームに関する。
【背景技術】
【０００２】
本出願人は、美容や健康維持などを図るための塩製パネル及びこの塩製パネルを使用したサウナ風呂を発明し、この発明について特許出願している（特許文献１参照）。この塩製パネル（以下、「塩製タイル」という。）は、精製塩又は天然塩を融点以上沸点以下の温度で加熱溶融し、この加熱溶融物を成形型に流し込み、冷却固化させたもので、ほぼ六角形状その他の多角形状の薄肉板に形成されている。
【０００３】
そして、サウナ風呂（以下、本出願人の発明については「ソルトルーム」という。）は、鉄筋コンクリートなどによって構成された側壁、床、天井の基礎構造体の内貼りとして多数枚の塩製タイルを貼り合わせ、塩内装側壁、塩内装床、塩内装天井を形成し、側壁と塩内装側壁との間、及び床と塩内装床との間に発熱手段を配置したものとされている。
【０００４】
このソルトルーム内は、体温よりも僅かに高温（例えば４１℃）、低湿度（例えば４５％）と一般的なサウナ風呂や岩塩サウナ風呂よりも非常に低く設定されている。したがって、このソルトルームは、利用者への負担が小さく、利用者が不快に感じることなく、長時間滞在できる上に、前記温度及び湿度が塩の効能を最大限に発揮させることのできる最適条件とされ、新陳代謝や免疫力の活性化を非常に高めることができるため、美容分野や医療分野などの多岐に亘る分野で脚光を浴びている。
【０００５】
一方、高密度のマイナスイオンと岩塩透過光によって癒し効果が得られるようにしたサウナ風呂も提供されている（特許文献２参照）。このサウナ風呂は、建物の断熱処理した天井、壁、床の各内壁面に下地桟を固着し、その固着面の対面上に岩塩パネルを貼り渡し、内壁面と岩塩パネルとの間の隙間に適数量の熱光源を設置したことを特徴としている。
【０００６】
このサウナ風呂は、熱光源から出されるマイナスイオンや遠赤外線、特定の波長の透過光が岩塩パネル全面から浴室内に照射され、入浴者に新陳代謝の活性化や疲労回復効果をもたらすことができるとされている。
【先行技術文献】
【特許文献】
【０００７】
【特許文献１】特開２００７−９２５１４号公報
【特許文献２】特開２００５−１９４８６１号公報
【発明の概要】
【発明が解決しようとする課題】
【０００８】
特許文献１に記載されたソルトルームにおいて、側壁、床、天井の基礎構造体と塩内装壁、塩内装床、塩内装天井との間に、特許文献２に記載されたように光源、さらには様々な色を作り出せるように赤色、緑色及び青色の３色の光源が配置されると、リラクゼーションルームを構成することができる。このリラクゼーションルームは、塩による新陳代謝や免疫力の活性化に加え、光による幻想的な映像空間が演出され、利用者をリラックスさせるものとなる。
【０００９】
しかし、ソルトルームの側壁、床、天井の基礎構造体と塩内装壁、塩内装床、塩内装天井との間全てに光源を配置するには、大掛かりな工事が必要となり、施工費用が大幅にアップしてしまう。
【００１０】
そこで、本発明は、光による幻想的な映像空間を演出するリラクゼーションルームを低コストで施工できるようにした塩製タイルユニット及びこの塩製タイルユニットを備えたリラクゼーションルームを提供することを課題とする。
【課題を解決するための手段】
【００１１】
本発明に係る塩製タイルユニットは、多数本のグラスファイバーから生地状に形成された裏地上に、塩で形成された塩製タイルが複数枚、目地間隙を設けて並列され、裏地と塩製タイルとの間及び目地間隙内に熱硬化性樹脂が介在し、塩製タイルが熱硬化性樹脂によって裏地に固着され、塩製タイルを外向きにして樋状又は筒状に成形された塩製基材と、該塩製基材の内側に配置された光源とが備えられていることを特徴としている。
【００１２】
この塩製タイルユニットによれば、熱硬化性樹脂によって塩製タイルを裏地に確実に固着した塩製基材を、外観を損ねることなく容易に樋状又は筒状に形成することができる。すなわち、熱硬化性樹脂は、加熱される前において流動性を有しているため、多数本のグラスファイバーから必要な強度を有する生地状に形成された裏地内に滲み込んだ状態となるとともに、塩製タイルの裏面の形状に沿いつつ、塩製タイル間に設けられた目地間隙にも充填される。したがって、熱硬化性樹脂が加熱されることによって硬化したときに、塩製タイルが熱硬化性樹脂によって裏地に固着される。
【００１３】
そして、熱硬化性樹脂が硬化する前の状態で、裏地を変形することにより、塩製タイルを外向きにした樋状又は筒状の塩製基材を成形することができる。裏地は、多数のグラスファイバーによってほぼ透明に形成され、塩製タイルは、塩を加熱溶融し、この加熱溶融物を成形型に流し込み、冷却固化させて白色半透明に成形されていることから、塩製基材の内側に配置された光源からの発光が裏地を乱反射して透過し、塩製タイルによってスポット状でない暈（ぼ）けた状態に照明される。
【００１４】
また、前記本発明に係る塩製タイルユニットにおいて、前記光源は、ＬＥＤであることが好ましい。光源がＬＥＤとされることにより、低電力で明るく安定した光映像を得ることができる。また、光源として、赤色、緑色、青色の三原色のＬＥＤを組み合わせることにより、白色を含めて様々な色彩による光映像を自在に表出することができる。
【００１５】
また、本発明に係るリラクゼーションルームは、側壁、床、天井で囲まれたリラクゼーションルームであって、隣り合っている側壁と側壁との境界線に形成されるコーナー部、隣り合っている側壁と天井との境界線に形成されるコーナー部、隣り合っている側壁と床との境界線に形成されるコーナー部の全て又は一部のコーナー部に前記本発明係る塩製タイルユニットが付設されていることを特徴としている。
【００１６】
このリラクゼーションルームによれば、隣り合っている側壁と側壁との境界線に形成されるコーナー部、隣り合っている側壁と天井との境界線に形成されるコーナー部、隣り合っている側壁と床との境界線に形成されるコーナー部の全て又は一部のコーナー部に本発明に係る塩製タイルユニットが付設されることにより、コーナー部においてぼけた状態に照明され、リラクゼーションルーム内が光映像による癒し効果を発揮することができるものとなる。なお、このリラクゼーションルームは、側壁、床、天井の全てが照明される場合に比べて、大幅に施工費用を低減することができる。
【００１７】
また、前記本発明に係るリラクゼーションルームにおいて、前記側壁、床、天井の全て又は一部は、塩製タイルが敷き詰められることによって形成されていることが好ましい。このリラクゼーションルームによれば、室内の全て又は一部が塩製タイルによって敷き詰められることにより、リラクゼーションルームの利用者は、塩によって新陳代謝や免疫力の活性化が非常に高められる。
【発明の効果】
【００１８】
本発明によれば、塩製タイルを外向きにして樋状又は筒状に形成した塩製タイルユニットが提供されることにより、癒し効果を得る光映像を簡易に表出するリラクゼーションルームを低コストで施工することができる。
【図面の簡単な説明】
【００１９】
【図１】本発明に係る塩製タイルユニットの一実施形態を示す斜視図である。
【図２】本発明に係る塩製タイルユニットを構成している塩製基材の製造方法の一実施形態を示し、（ａ）は最初の状態を示す要部断面側面図、（ｂ）は途中の状態を示す要部断面側面図、（ｃ）は最終の状態を示す要部断面側面図である。
【図３】本発明に係る塩製タイルユニットを付設したリラクゼーションルームの一部を示す斜視図である。
【発明を実施するための形態】
【００２０】
本発明に係る塩製タイルユニット及びリラクゼーションルームの一実施形態について図１ないし図３を参照しながら説明する。この塩製タイルユニットは、図１に示すように、多数本のグラスファイバーから生地状に形成された裏地１０上に、複数枚の塩製タイル２０，２０，…を熱硬化性樹脂３０によって固着した塩製基材１が、塩製タイル２０，２０，…を外向きに樋状に成形され、この塩製基材１の内側に１個又は２個以上の光源２が配置されていることを特徴としている。
【００２１】
裏地１０は、グラスファイバー製の縦糸と横糸とを１本おきに上下織りした平織り、グラスファイバー製の縦糸か横糸の一方が何回か浮いて一回沈む朱子織り、グラスファイバー製の縦糸と横糸が交互に交錯せず、斜線がはっきり見える綾織、グラスファイバー製の縦糸を互いに絡み合わせながら、横糸を打ち込んだ絡み織り、その他の織物、あるいは編物などによって生地状に形成される。
【００２２】
いずれにしても、裏地１０は、多数本のグラスファイバーによって必要な強度と可撓性を有する半透明の生地状に形成される。なお、塩製基材１が樋状に形成されるため、裏地１０は変形性に優れた朱子織りや柔軟性がある綾織などをによって形成することが好ましい。
【００２３】
そして、塩製タイル２０は、岩塩から所定の形状に削り出して成形され、あるいは、精製塩や天然塩などの塩を溶融固化して白色半透明の所定形状に成形される。なお、高温で溶融された塩は、含有されていた不純物が気化するため、塩を溶融固化した塩製タイル２０は、残存する不純物が少ない、換言すれば、高純度の塩によって成形されたものとなっている。
【００２４】
このような塩製タイル２０は、平面視ほぼ六角形状をなす基本的な第１の塩製タイル２１と、第１の塩製タイル２１の対向する平行な二辺の中間点同士を結ぶ線上で切断した五角形状の第２の塩製タイル２２と、第１の塩製タイル２１の隣り合っている二辺の接合点同士を結ぶ線上で切断した台形状の第３のタイル２３とが組み合わされる。
【００２５】
また、第１の塩製タイル２１にあっては、裏面２０ｂに円形の凹曲面状の窪み部２１ａが形成され、この窪み部２１ａの中心が第１の塩製タイル２１の裏面２０ｂの中心と一致するようにされている（図２（ｂ）（ｃ）参照）。そして、第２、第３の塩製タイル２２，２３にあっては、裏面に楕円形又は半円形の凹曲面状の窪み部（図示せず）が形成される。楕円形の窪み部は、中心が第２、第３の塩製タイル２２，２３の裏面の中心と一致する位置に形成され、半円形の窪み部は、弦が第２、第３の塩製タイル２２，２３の裏面の長辺と一致するように形成されてもよい。
【００２６】
さらに、いずれの塩製タイル２０も表面２０ａが裏面２０ｂよりも僅かに小さくされ、側面２０ｃが僅かに傾斜した形状とされている（図２（ｂ）（ｃ）参照）。ただし、塩製タイル２０は、側面２０ｃに段差を設けたものとしてもよいし、単なる垂直な面としてもよい。
【００２７】
そして、熱硬化性樹脂３０は、常温において流動性を有し、加熱されることによって硬化するものであるが、無臭の脱アルコールタイプのシリコーン系樹脂を使用することが好ましい。
【００２８】
ここで、塩製基材１の製造方法について、図２を参照しながら説明する。まず、所定のサイズに形成され、又は切断された裏地１０上に、図２（ａ）に示すように流動性のある熱硬化性樹脂３０を塗布する。すると、裏地１０がグラスファイバーによって生地状に形成されたものであることから、熱硬化性樹脂３０は、裏地１０内に滲み込んだ上で、裏地１０上に塗布された状態となる。なお、熱硬化性樹脂３０が滲み込み、塗布された状態の裏地１０は、可撓性を有するものとなっている。
【００２９】
次に、図２（ｂ）に示すように、裏地１０に塗布された熱硬化性樹脂３０の上に、予め加熱された塩製タイル２０を並列する。すなわち、裏地１０の一方の平行な一対の側辺を除いた中心部には、六角形状の第１の塩製タイル２１が並列され、裏地１０の一方の平行な一対の側辺には、第２の塩製タイル２２が並列され、裏地１０の他方の平行な一対の側辺には、第３の塩製タイル２３が第１の塩製タイル２１を挟むように配置される（図１参照）。したがって、多数の塩製タイル２０，２０，…は、ハニカム構造となる。
【００３０】
また、このように並列された各塩製タイル２０，２０，…間には、目地間隙２４が設けられている。したがって、常温において流動性を有している熱硬化性樹脂３０は、目地間隙２４内に充填された状態となる。なお、熱硬化性樹脂３０は、各塩製タイル２０の裏面２０ｂに形成された窪み部２１ａ内にも入り込む状態となる。
【００３１】
その後、裏地１０を例えば熱板上に載せ、熱硬化性樹脂３０を１４０〜１５０℃に加熱し、裏地１０を樋状にして硬化させると、図２（ｃ）及び図１に示すように、裏地１０上に塩製タイル２０を固着した塩製基材１が完成する。ただし、塩製タイル２０は、裏地１０が凸状になった外側の面に固着される。また、塩製タイル２０は、平行な一対の２辺が図１に示すように長さ方向に向けられてもよいし、図示しないが円弧状の幅方向に向けられてもよい。
【００３２】
なお、この塩製基材１は、塩製タイル２０が予め加熱された状態で熱硬化性樹脂３０上に置かれるため、熱硬化性樹脂３０が硬化したときに、熱硬化性樹脂３０中に多数の気泡が生じないものとされている。
【００３３】
また、熱硬化性樹脂３０が裏地１０内に滲み込んでいることから、裏地１０は硬質な樋状に変質する。さらに、熱硬化性樹脂３０が塩製タイル２０間の目地間隙２４においても硬化するため、塩製タイル２０は、裏面２０ｂから側面２０ｃにおいても熱硬化性樹脂３０に固着された状態となる。したがって、塩製基材１は、塩製タイル２０が外観を損ねることなく、裏地１０から脱落しないものとされている。
【００３４】
特に、塩製タイル２０の裏面２０ｂに窪み部２１ａが形成されている場合において、熱硬化性樹脂３０が接着する面は、平坦な場合よりも広くなり、また、塩製タイル２０の側面が傾斜した形状や段差を設けたものとされている場合において、目地間隙２４内で硬化した熱硬化性樹脂３０は、楔のようになって塩製タイル２０を保持する状態となる。このように熱硬化性樹脂３０によって固着された多数の塩タイル２０，２０，…は、ハニカム構造であることとも相俟って、横ずれや縦ずれが生じにくいものとなっている。
【００３５】
この樋状に成形された塩製基材１は、各塩製タイル２０，２０，…が裏地１０の凸状になった外側の面に固着され、各塩製タイル２０間の目地間隙２４が塩製タイル２０の裏面２０ｂ側よりも表面２０ａ側で広がる状態となる。したがって、目地間隙２４内に充填された状態の熱硬化性樹脂３０は、固化すると、塩製タイル２０の側面を表面側から裏面側に楔のように押さえる状態となり、塩製タイル２０が裏地１０から脱落することがない。
【００３６】
また、樋状に成形された塩製基材１は、塩製タイル２０の側面２０ｃ側の裏面と裏地１０との間が広がる状態となるため、塩製タイル２０の裏面２０ｂと裏地１０との間に熱硬化性樹脂３０が充填された状態を維持することができるように、小さめの塩製タイル２０が使用される。
【００３７】
この樋状に形成された塩製基材１の内側に１個又は複数個の光源２が配置されることによって塩製タイルユニットができあがる。光源２は、例えば、ホルダー（図示せず）に取り付けられ、ホルダーは塩製基材１の内側において全長に亘って架け渡されるバー（図示せず）に固定され、光源２に接続されたコード（図示せず）が塩製基材１の一端又は両端から導出される。
【００３８】
そして、光源２としては、低電力で明るく安定した光映像を得られる赤色、緑色、青色の三原色のＬＥＤが使用される。このＬＥＤは、赤色、緑色、青色の三原色を一つにまとめたチップを使用してもよいし、別々のものを一つにまとめて使用してもよい。あるいは、赤色のＬＥＤ、緑色のＬＥＤ、青色のＬＥＤを一列に連続して又は間隔を空けて並べてもよい。
【００３９】
そして、樋状に成形された塩製タイルユニットは、リラクゼーションルームＲにおいて、図３に示すように、隣り合っている側壁Ｗと側壁Ｗとの境界線に形成されるコーナー部Ａに柱のように付設され、あるいは、隣り合っている側壁Ｗと天井Ｃとの境界線に形成されるコーナー部Ｂに廻り縁のように付設され、あるいは、図示しないが隣り合っている側壁Ｗと床Ｆとの境界線に形成されるコーナー部に付設される。
【００４０】
そして、リラクゼーションルームＲ内に入室した利用者は、塩の効能により、新陳代謝や免疫力が高められる。また、塩製基材１が熱硬化性樹脂３０によって塩製タイル２０を裏地１０に固着しているため、塩製基材１からは臭気が発生せず、リラクゼーションルームＲ内は快適な状態とされる。
【００４１】
さらに、塩製基材１は、裏地１０が多数本のグラスファイバーによって形成され、ほぼ透明であり、しかも、塩製タイル２０が白色半透明であることから、塩製基材１の内側に配置された光源２からの発光が裏地１０透過することによって乱反射し、塩製タイルを透過することによって、塩製タイル２０の表面においてスポット状でない暈（ぼ）けた状態に照明される。
【００４２】
そして、光源２からは、白色を含めて様々な色彩による光映像が自在に表出されることにより、リラクゼーションルームＲの利用者は、幻想的な雰囲気を味わい、より高い癒し効果が得られる。
【００４３】
なお、本発明は、前記実施の形態に限定することなく、種々変更することができる。例えば、塩製タイルユニットは、前記のように、リラクゼーションルームＲのコーナー部Ａ，Ｂに付設するため樋状に形成する以外に、筒状に形成してもよい。筒状の塩製タイルユニットは、リラクゼーションルームＲ内、又はリラクゼーションルームＲ外において、柱のように立設したり、置物のように寝かせたりした状態で使用してもよい。
【００４４】
また、塩製基材１の塩製タイル２０は、六角形状に限らず、三角形状、四角形状、円形状などであってもよく、さらに、光源２としては、ＬＥＤ以外に種々のランプを使用してもよい。
【００４５】
また、塩製タイルユニットは、リラクゼーションルームＲの側壁Ｗ、床Ｆ、天井Ｃの全面に多数の光源を配置することなく、すなわち、低コストで施工できるようにすることを主目的とするが、側壁Ｗ、床Ｆ、天井Ｃの全部又は一部に光源２を配置しつつも、コーナー部Ａ，Ｂに塩製タイルユニットを並設してもよい。
【符号の説明】
【００４６】
１……塩製基材
２……光源
１０…裏地
２０…塩製タイル
２４…目地間隙
３０…熱硬化性樹脂
【図１】
2010229745.tif 000003
【図２】
2010229745.tif 000004
【図３】
2010229745.tif 000005